(57)【要約】【課題】リニアエンコーダーにより光学ヘッドの位置管理を行う画像読取装置において、リニアスケールフィルムの伸縮の影響を無くし、歪みの無い画像を取得可能にする。【解決手段】画像読取時に、走査開始位置から走査終了位置まで光学ヘッド１５を移動させた時のリニアエンコーダーのエンコーダーパルス数を比較用パルス数として取得し、予め定められた基準パルス数と比較用パルス数との差分に基づいて、画像処理部３５において画像の主走査方向Ｘに対応した方向の画素位置の補正を行う。【選択図】図２
2014175997.tif 000002
【特許請求の範囲】
【請求項１】
光を取得する光取得部を第１走査方向および該第１走査方向と直交する第２走査方向に走査して、画像情報を担持してなる担体から受ける光を光電的に読み取ることによって、前記画像情報が表す画像の画像データを取得する画像読取方法であって、
画像読取時において、前記第１走査方向の前記光取得部の走査開始位置から走査終了位置までの間の前記光取得部の位置を検出するリニアエンコーダーを用いて、前記走査開始位置から前記走査終了位置まで前記光取得部を移動させた時の前記リニアエンコーダーのエンコーダーパルス数を比較用パルス数として取得し、
予め定められた基準パルス数と前記比較用パルス数との差分に基づいて、前記画像の前記第１走査方向に対応した方向の画素位置の補正を行う
ことを特徴とする画像読取方法。
【請求項２】
関連して読取を行う複数の画像のうちのいずれか一枚の画像を基準画像とし、
前記複数の画像のうちの前記基準画像以外の画像については、該基準画像の読取時に取得した比較用パルス数を前記基準パルス数として、前記画素位置の補正を行う
ことを特徴とする請求項１記載の画像読取方法。
【請求項３】
一枚の画像読取時において、前記第２走査方向の複数の個所で前記比較用パルス数を取得し、
複数の比較用パルス数に各々対応する領域について、前記基準パルス数と各比較用パルス数との差分に基づいて前記画素位置の補正を行う
ことを特徴とする請求項１または２記載の画像読取方法。
【請求項４】
光を取得する光取得部を第１走査方向および該第１走査方向と直交する第２走査方向に走査して、画像情報を担持してなる担体から受ける光を光電的に読み取ることによって、前記画像情報が表す画像の画像データを取得する画像読取装置であって、
前記光取得部を前記第１走査方向に移動可能に保持する保持部と、
該保持部における前記光取得部の走査開始位置および走査終了位置を検出する位置検出手段と、
前記走査開始位置から前記走査終了位置までの間の前記光取得部の位置を検出するリニアエンコーダーと、
画像読取時において、前記走査開始位置から前記走査終了位置まで前記光取得部を移動させた時の前記リニアエンコーダーのエンコーダーパルス数を比較用パルス数として取得するように、前記光取得部の移動および前記リニアエンコーダーの動作を制御する制御手段と、
予め定められた基準パルス数と前記比較用パルス数との差分に基づいて、前記画像の前記第１走査方向に対応した方向の画素位置の補正を行う補正手段と
を備えてなることを特徴とする画像読取装置。
【発明の詳細な説明】
【技術分野】
【０００１】
本発明は、画像情報を担持してなる担体から受ける光を光電的に読み取ることによって、前記画像情報が表す画像の画像データを取得する画像読取方法および画像読取装置に関するものである。
【背景技術】
【０００２】
蓄積性蛍光体に放射線を照射すると、この放射線エネルギーの一部が蓄積され、その後、可視光やレーザ光などの励起光を照射すると、蓄積された放射線エネルギーに応じて輝尽発光光が発光される。この蓄積性蛍光体（輝尽性蛍光体）を利用して、支持体上にこの蓄積性蛍光体を積層し、シート状とした蓄積性蛍光体シートに人体などの被写体に放射線を照射することにより放射線画像を一旦蓄積記録し、この蓄積性蛍光体シートにレーザ光などの励起光を照射し、輝尽発光光を生じさせ、この輝尽発光光を光電的に読み取って画像信号を得る放射線画像読取装置がCR（Computed Radiography）として、広く実用に供されている。
【０００３】
また、同様に蓄積性蛍光体シートを利用したシステムとして、オートラジオグラフィ画像検出システム（例えば特許文献１等）、電子顕微鏡による画像検出システム、放射線回折画像検出システム（例えば特許文献２等）などが知られている。
【０００４】
これらの蓄積性蛍光体シートを画像の検出材料として使用するシステムは、写真フイルムを用いる場合とは異なり、現像処理という化学的処理が不必要であるだけでなく、得られた画像データに画像処理を施すことにより、所望のように、画像を再生し、あるいは、コンピュータによる定量解析が可能になるという利点を有している。
【０００５】
他方、オートラジオグラフィシステムにおける放射性標識物質に代えて、蛍光物質を標識物質として使用した蛍光画像検出（fluorescence) システムも知られている。
【０００６】
また、化学発光物質と接触することにより化学発光する物質を標識物質として用い、該標識物質と化学発光物質を接触させることにより発光される化学発光を検出する化学発光画像検出システムも知られている。この化学発光画像検出システムとしては、化学発光光を、前述の蓄積性蛍光体シートに、蓄積、記録した後、該蓄積性蛍光体シートから画像検出を行うタイプ（例えば特許文献３等）と、化学発光光を光検出手段によって直接検出するタイプとがある。
【０００７】
これらのオートラジオグラフィ画像検出システム、化学発光画像検出システム、電子顕微鏡による画像検出システム、放射線回折画像検出システム、蛍光画像検出システムは、同様の目的に使用されるものであるため、これらのシステムに共通して、使用できる画像読取装置が既に提案されている。
【先行技術文献】
【特許文献】
【０００８】
【特許文献１】特公平１−６０７８４号公報
【特許文献２】特開昭６１−５１７３８号公報
【特許文献３】米国特許第５，０２８，７９３号明細書
【発明の概要】
【発明が解決しようとする課題】
【０００９】
上記の画像読取装置は、光学ヘッドを主走査方向および主走査方向と直交する副走査方向に走査して、画像情報を担持してなる担体から受ける光を光電的に読み取ることによって、画像情報が表す画像の画像データを取得するものであり、一般的に光学ヘッドを主走査方向に移動可能に保持する保持基板と、この保持基板を副走査方向に走査移動させる移動機構を備えている。
【００１０】
このうち光学ヘッドの主走査方向の移動については、リニアエンコーダーによる位置管理が一般的であるが、リニアエンコーダーに用いられるリニアスケールフィルムは、温度や湿度等の影響を受けて伸縮するため、リニアエンコーダーによる位置検出精度にばらつきが生じることがある。
【００１１】
画像読取装置では、光学ヘッドの主走査方向位置および副走査方向位置と画像の画素位置とを対応付けて画像データを構成するため、上記のようなリニアスケールフィルムの伸縮が生じてしまうと、画像の形状に歪みが生じてしまうという問題が発生する。
【００１２】
具体的数値を挙げると、通常使用環境化において５０ｃｍ程度のリニアスケールフィルムでは最大２００μｍ程度の伸縮が認められる。このときの最大誤差は０．０４％程度であり、単独の画像として見る場合には好ましくはないがまだ許容できる値だとしても、蛋白質やＤＮＡ等の解析において複数枚の画像間における電気泳動の量を測定する等、複数枚の画像間で測定対象物の僅かな位置や大きさの比較を行いたい場合では、解析精度に大きな影響を与えてしまうことになる。
【００１３】
本発明は上記問題点に鑑みてなされたものであり、リニアエンコーダーにより光学ヘッドの位置管理を行う画像読取装置において、リニアスケールフィルムの伸縮の影響を無くし、歪みの無い画像を取得可能な画像読取方法および画像読取装置を提供することを目的とするものである。
【課題を解決するための手段】
【００１４】
本発明の画像読取方法は、光を取得する光取得部を第１走査方向および第１走査方向と直交する第２走査方向に走査して、画像情報を担持してなる担体から受ける光を光電的に読み取ることによって、画像情報が表す画像の画像データを取得する画像読取方法であって、画像読取時において、第１走査方向の光取得部の走査開始位置から走査終了位置までの間の光取得部の位置を検出するリニアエンコーダーを用いて、走査開始位置から走査終了位置まで光取得部を移動させた時のリニアエンコーダーのエンコーダーパルス数を比較用パルス数として取得し、予め定められた基準パルス数と比較用パルス数との差分に基づいて、画像の第１走査方向に対応した方向の画素位置の補正を行うことを特徴とする。
【００１５】
本発明の画像読取方法においては、関連して読取を行う複数の画像のうちのいずれか一枚の画像を基準画像とし、複数の画像のうちの基準画像以外の画像については、基準画像の読取時に取得した比較用パルス数を基準パルス数として、画素位置の補正を行うようにしてもよい。
【００１６】
また、一枚の画像読取時において、第２走査方向の複数の個所で比較用パルス数を取得し、複数の比較用パルス数に各々対応する領域（各比較用パルス数取得ラインから次の比較用パルス数取得ラインまので間の領域）について、基準パルス数と各比較用パルス数との差分に基づいて画素位置の補正を行うようにしてもよい。
【００１７】
本発明の画像読取装置は、光を取得する光取得部を第１走査方向および第１走査方向と直交する第２走査方向に走査して、画像情報を担持してなる担体から受ける光を光電的に読み取ることによって、画像情報が表す画像の画像データを取得する画像読取装置であって、光取得部を第１走査方向に移動可能に保持する保持部と、保持部における光取得部の走査開始位置および走査終了位置を検出する位置検出手段と、走査開始位置から走査終了位置までの間の光取得部の位置を検出するリニアエンコーダーと、画像読取時において、走査開始位置から走査終了位置まで光取得部を移動させた時のリニアエンコーダーのエンコーダーパルス数を比較用パルス数として取得するように、光取得部の移動およびリニアエンコーダーの動作を制御する制御手段と、予め定められた基準パルス数と比較用パルス数との差分に基づいて、画像の第１走査方向に対応した方向の画素位置の補正を行う補正手段とを備えてなることを特徴とする。
【発明の効果】
【００１８】
本発明による画像読取方法および画像読取装置によれば、画像読取時において、走査開始位置から走査終了位置まで光取得部を移動させた時のリニアエンコーダーのエンコーダーパルス数を比較用パルス数として取得し、予め定められた基準パルス数と比較用パルス数との差分に基づいて、画像の第１走査方向に対応した方向の画素位置の補正を行うようにしたので、リニアスケールフィルムの伸縮の影響を無くし、歪みの無い画像を取得することが可能となる。
【図面の簡単な説明】
【００１９】
【図１】本発明の一実施の形態の画像読取装置を備えた画像検出システムの概略構成図
【図２】上記画像読取装置の主要部の概略構成図
【図３】上記画像読取装置の光学ヘッド保持基板の概略構成を示す上面図
【図４】上記画像読取装置の光学ヘッド保持基板の概略構成を示す側面図
【図５】光学ヘッドの主走査方向位置とリニアエンコーダーのパルス数との関係を示すグラフ
【発明を実施するための形態】
【００２０】
以下、本発明の一実施の形態を図面を参照して詳細に説明する。図１は本発明の一実施の形態の画像読取装置を備えた画像検出システムの概略構成図、図２は上記画像読取装置の主要部の概略構成図である。
【００２１】
この画像検出システム１００は、画像読取装置１１０と、画像読取装置１１０とＵＳＢにより接続されたコンピューター１２０と、コンピューター１２０に接続されたモニター１２１とから構成されている。
【００２２】
本実施の形態の画像読取装置１１０は、オートラジオグラフィ画像検出システム、化学発光画像検出システム、電子顕微鏡による画像検出システム、放射線回折画像検出システム、蛍光画像検出システム等に共通して使用可能なものであり、図２に示されるように、画像担体２１を載置するステージ２０と、画像担体２１上に励起光Ｅを照射するとともに、画像担体２１から発せられた発光光Ｌを集光するための光学ヘッド（光取得部）１５と、複数の光源を備え、選択的に励起光Ｅを発生させる光源光学系５０と、発光光Ｌを検出する光検出手段であるフォトマルチプライア３０と、光源光学系５０の光を光学ヘッド１５に導光するとともに、発光光Ｌをフォトマルチプライア３０に導光するための光学手段６０と、フォトマルチプライア３０から出力された信号をＡ／Ｄ変換するＡ／Ｄ変換器３３と、Ａ／Ｄ変換器３３から出力された画像データを記憶するメモリ３４と、メモリ３４に記憶されている画像データに対し、必要に応じて画素位置の補正等の画像処理を施す画像処理部（補正手段）３５と、メモリ３４に記憶されている画像データをコンピューター１２０へＵＳＢ（Universal Serial Bus）で転送するＵＳＢ転送部３６とを備えてなる。
【００２３】
光源光学系５０は、６４０ｎｍの波長のレーザ光Ｅを発する第１のレーザ励起光源１と、５３２ｎｍの波長のレーザ光Ｅを発する第２のレーザ励起光源２と、４７３ｎｍの波長のレーザ光Ｅを発する第３のレーザ励起光源３とを備えており、本実施形態においては、第１のレーザ励起光源１は、半導体レーザによって構成され、第２のレーザ励起光源２および第３のレーザ励起光源３は、いずれも、半導体レーザおよび第二高調波生成（Second Harmonic Generation) 素子によって構成されている。また光源光学系５０は、複数の励起光源１、２、３からのレーザ光Ｅを平行な光とするためのコリメータレンズ５、１０、１１、レーザ光Ｅを光学手段６０へ導くためのミラー６、９およびダイクロイックミラー７、８を備えている。
【００２４】
第１のレーザ励起光源１により発生されたレーザ光Ｅは、コリメータレンズ５によって、平行な光とされた後、ミラー６によって反射される。第１のレーザ励起光源１によって発生されたレーザ光Ｅの光路には、６４０ｎｍのレーザ光Ｅを透過し、５３２ｎｍの波長の光を反射する第１のダイクロイックミラー７および５３２ｎｍ以上の波長の光を透過し、４７３ｎｍの波長の光を反射する第２のダイクロイックミラー８が設けられており、第１のレーザ励起光源１により発生され、ミラー６によって反射されたレーザ光Ｅは、第１のダイクロイックミラー７および第２のダイクロイックミラー８を透過し、ミラー９に入射する。
【００２５】
他方、第２のレーザ励起光源２より発生されたレーザ光Ｅは、コリメータレンズ１０によって、平行な光とされた後、第１のダイクロイックミラー７によって反射されて、その向きが９０度変えられ、第２のダイクロイックミラー８を透過して、ミラー９に入射する。
【００２６】
さらに、第３のレーザ励起光源３から発生されたレーザ光Ｅは、コリメータレンズ１１によって、平行な光とされた後、第２のダイクロイックミラー８によって反射されて、その向きが９０度変えられ、ミラー９に入射する。
【００２７】
ミラー９に入射したレーザ光Ｅは、ミラー９によって反射され、後述の光学手段６０のミラー１２に入射する。
【００２８】
光学ヘッド１５は、不図示の凹面ミラーと非球面レンズを備えており、画像担体面に平行に進行し、光学ヘッド１５に入射したレーザ光Ｅは、凹面ミラーによって画像担体２１に向けて反射され、非球面レンズ１７によってステージ２０上にセットされた画像担体２１に集光される。このレーザ光Ｅの照射により画像担体２１から発光された発光光Ｌは、非球面レンズによって集光され、凹面ミラーに入射されて、凹面ミラーによってさらに集光されると共に、レーザ光Ｅの光路と同じ側に反射され、略平行な光とされて、後述の光学手段６０の凹面ミラー１８に入射される。
【００２９】
光学ヘッド１５は、図示しない移動機構により副走査方向Ｙ（第２走査方向）に移動可能とされている光学ヘッド保持基板（保持部）４０上に主走査方向Ｘ（第１走査方向）に移動可能に配置されており、光学ヘッド１５の移動により画像担体２１の全面がレーザ光Ｅによって走査される。すなわち、光学ヘッド１５が光学ヘッド保持基板４０上を主走査方向Ｘに移動するとともに、光学ヘッド保持基板４０が副走査方向Ｙに移動されることによって、光学ヘッド１５は、Ｘ−Ｙ方向に移動され、レーザ光Ｅによって、画像担体２１の全面が走査される。
【００３０】
ここで、光学ヘッド保持基板４０の構成について詳細に説明する。図３は上記画像読取装置の光学ヘッド保持基板の概略構成を示す上面図、図４は上記画像読取装置の光学ヘッド保持基板の概略構成を示す側面図である。
【００３１】
図３に示すように、光学ヘッド１５は、光学ヘッド保持基板４０上のレール４１により主走査方向Ｘに移動可能に保持されている。光学ヘッド保持基板４０上には、レール４１と平行にリニアスケールフィルム４２が取り付けられている。
【００３２】
このリニアスケールフィルム４２は、光学ヘッド１５の走査開始側端部は光学ヘッド保持基板４０に直接保持され、走査終了側端部はスプリング４３を介して光学ヘッド保持基板４０に保持され、スプリング４３の付勢力により常に引っ張られて弛みがない状態とされている。
【００３３】
図４に示すように、光学ヘッド１５のリニアスケールフィルム４２側側面には、リニアスケールフィルム４２の読み取りをおこなうエンコーダーモジュール１５ａが取り付けられており、エンコーダーモジュール１５ａおよびリニアスケールフィルム４２によりリニアエンコーダーとして機能する。
【００３４】
また、光学ヘッド１５のリニアスケールフィルム４２側側面と反対側の側面には位置検出片１５ｂが取り付けられている。さらに、光学ヘッド保持基板４０上の、レール４１を挟んでリニアスケールフィルム４２の反対側には、位置検出片１５ｂの存在を検出する３つの位置検出センサー４４ａ、４４ｂ、４４ｃが設けられている。位置検出センサー４４ａは光学ヘッド１５の走査開始側端部に設けられており、位置検出センサー４４ｂは光学ヘッド１５の走査原点位置（走査開始位置）に設けられており、位置検出センサー４４ｃは光学ヘッド１５の走査終了側端部（走査終了位置）に設けられており、これらにより、光学ヘッド１５が該当位置に在ることを検出することが可能となる。なお、位置検出片１５ｂおよび位置検出センサー４４ａ、４４ｂ、４４ｃにより位置検出手段が構成される。
【００３５】
光学手段６０は、ミラー１２、励起光Ｅと発光光Ｌを分岐させるための、中央部に穴１３を有する凹面ミラーからなる穴開きミラー１４、凹面ミラー１８、およびフォトマルチプライア３０に選択的に光を入射させるためのフィルタユニット２８とを備えてなる。
【００３６】
光源光学系５０のミラー９で反射されて、ミラー１２に入射されたレーザ光Ｅは、該ミラー１２によって反射され、穴開きミラー１４の穴１３を通過して、凹面ミラー１８に入射し、該凹面ミラー１８によって反射されて、光学ヘッド１５に入射する。
【００３７】
また、画像担体２１から発せられ、光学ヘッド１５の凹面ミラー１６によって反射され凹面ミラー１８に入射した発光光Ｌは、凹面ミラー１８によって反射されて、穴開きミラー１４に入射する。
【００３８】
穴開きミラー１４に入射した発光光Ｌは、該穴開きミラー１４によって、下方に反射されて、フィルタユニット２８に入射し、所定の波長の光がカットされて、フォトマルチプライア３０に入射し、光電的に検出される。
【００３９】
フィルタユニット２８は、４つのフィルタ部材３１ａ、３１ｂ、３１ｃ、３１ｄを備えており、フィルタユニット２８は、フィルタユニットモータ（図示せず）によって、矢印Ｚ方向に移動可能に構成されている。
【００４０】
フィルタ部材３１ａは、画像担体２１がゲル支持体もしくは転写支持体である場合に、第１のレーザ励起光源１を用いて、画像担体２１に含まれている蛍光色素を励起し、蛍光を読み取るときに使用されるフィルタ部材であり、６４０ｎｍの波長の光をカットし、６４０ｎｍよりも波長の長い光を透過する性質のフィルタを備えている。
【００４１】
フィルタ部材３１ｂは、画像担体２１がゲル支持体もしくは転写支持体である場合に、第２のレーザ励起光源２を用いて、画像担体２１に含まれている蛍光色素を励起し、蛍光を読み取るときに使用されるフィルタ部材であり、５３２ｎｍの波長の光をカットし、５３２ｎｍよりも波長の長い光を透過する性質のフィルタを備えている。
【００４２】
フィルタ部材３１ｃは、画像担体２１がゲル支持体もしくは転写支持体である場合に、第３のレーザ励起光源３を用いて、画像担体２１に含まれている蛍光色素を励起し、蛍光を読み取るときに使用されるフィルタ部材であり、４７３ｎｍの波長の光をカットし、４７３ｎｍよりも波長の長い光を透過する性質のフィルタを備えている。
【００４３】
フィルタ部材３１ｄは、画像担体２１が蓄積性蛍光体シートである場合に、第１のレーザ励起光源１を用いて、蓄積性蛍光体シートに含まれた輝尽性蛍光体を励起し、輝尽性蛍光体から発せられた輝尽光を読み取るときに使用されるフィルタ部材であり、輝尽性蛍光体から放出される輝尽光の波長域の光のみを透過し、６４０ｎｍの波長の光をカットする性質のフィルタを備えている。
【００４４】
したがって、画像担体２１の種類および蛍光色素の種類等に応じて、レーザ励起光源を選択するとともに、それに応じたフィルタ部材３１ａ、３１ｂ、３１ｃ、３１ｄを選択的に、フォトマルチプライア３０の前面に位置させることによって、フォトマルチプライア３０は、検出すべき光のみを光電的に検出することができる。
【００４５】
なお、レーザ励起光源とフィルタの組合せ毎に読取モード名称を設定記憶し、ユーザーが読取モード名称を参照することにより、一義的にレーザ励起光源とフィルタの種類が決定されるようにしてもよい。
【００４６】
フォトマルチプライア３０によって光電的に検出されて、生成されたアナログ画像データＳＡは、Ａ／Ｄ変換器３３によってディジタル画像データＳＤに変換された後にメモリ３４に送られる。メモリ３４内のディジタル画像データＳＤは、必要に応じて画像処理部３５により画素位置の補正等の画像処理が施された後、ＵＳＢ転送部３６によってコンピューター１２０に転送される。
【００４７】
上記の構成要素はいずれも不図示の制御手段により統合制御される。
【００４８】
次に、上記画像読取装置１１０の画像読取時の動作について説明する。図５は光学ヘッドの主走査方向位置とリニアエンコーダーのパルス数との関係を示すグラフである。
【００４９】
通常使用環境化において上記のような画像読取装置に用いられる５０ｃｍ程度のリニアスケールフィルムでは最大２００μｍ程度の伸縮が認められる。このときの最大誤差は０．０４％程度であり、単独の画像として見る場合には好ましくはないがまだ許容できる値だとしても、蛋白質やＤＮＡ等の解析において複数枚の画像間における電気泳動の量を測定する等、複数枚の画像間で測定対象物の僅かな位置や大きさの比較を行いたい場合では、解析精度に大きな影響を与えてしまうことになる。
【００５０】
従って、本実施の形態の画像読取装置１１０では、関連する複数の画像を読み取る際には画像処理部３５において下記の補正動作を行う。
【００５１】
ユーザーにより関連する複数の画像を読み取る指示がなされた場合、関連して読取を行う複数の画像のうちの最初の画像を基準画像とし、この基準画像の読取時において、まず光学ヘッド１５を走査原点位置に移動させ、そこから走査終了側端部まで光学ヘッド１５を移動させて、そのときのエンコーダーパルス数を比較用パルス数として取得する。その後、光学ヘッド１５を主走査方向Ｘおよび副走査方向Ｙに２次元的に移動させて画像担体２１の全面の走査を行って画像データを取得する。
【００５２】
次に、複数の画像のうちの基準画像以外の残りの画像についても、基準画像と同様に比較用パルス数および画像データの取得を行う。
【００５３】
そして、複数の画像のうちの基準画像以外の残りの画像については、基準画像の読取時に取得した比較用パルス数を基準パルス数とし、画像毎に、この基準パルス数と各画像の比較用パルス数との差分に基づいて、各画像の主走査方向Ｘに対応した方向の画素位置の補正を行う。
【００５４】
画素位置の補正について詳細に説明すると、図５に示すように、光学ヘッドの主走査方向位置が原点から走査終了側端部に向けて移動するにつれて、リニアエンコーダーのパルス数は線形的に増加する。リニアスケールフィルムの伸縮が無ければ基準画像読取時とその他の画像読取時でパルス特性に差は生じないが、リニアスケールフィルムが伸長した場合には光学ヘッドが走査終了側端部に移動した際のパルス数が減少し、リニアスケールフィルムが縮小した場合には光学ヘッドが走査終了側端部に移動した際のパルス数が増加することになる。
【００５５】
従って、走査終了側端部のパルス数が減少した場合には、画像の主走査方向Ｘに対応した方向の大きさが基準画像と比較して小さくなっているため、画像の主走査方向Ｘに対応した方向において、基準パルス数と各画像の比較用パルス数との差分の割合だけ拡大するように画素位置の補正を行えばよい。
【００５６】
逆に、走査終了側端部のパルス数が増加した場合には、画像の主走査方向Ｘに対応した方向の大きさが基準画像と比較して大きくなっているため、画像の主走査方向Ｘに対応した方向において、基準パルス数と各画像の比較用パルス数との差分の割合だけ縮小するように画素位置の補正を行えばよい。
【００５７】
このような補正により、関連する複数の画像の全てで、リニアエンコーダーについて同じ条件で取得したのと同等の画像データを取得できるため、複数枚の画像間で測定対象物の僅かな位置や大きさの比較を行いたい場合の解析精度を向上させることができる。
【００５８】
なお、基準パルス数について、関連して読取を行う複数の画像のうちのいずれか一枚の画像を基準画像とし、基準画像の読取時に取得した比較用パルス数を基準パルス数とする態様に限らず、装置に予め基準として記憶されたパルス数を基準パルス数としてもよい。この場合には、関連する画像間のみならず、全ての画像間でリニアエンコーダーについて同じ条件で取得したのと同等の画像データを取得することができる。
【００５９】
また、一枚の画像読取時において、副走査方向Ｙの複数の個所（例えば、１行毎、もしくは数行毎等）で比較用パルス数を取得し、複数の比較用パルス数に各々対応する領域（各比較用パルス数取得ラインから次の比較用パルス数取得ラインまので間の領域）について、基準パルス数と各比較用パルス数との差分に基づいて画素位置の補正を行うようにしてもよい。画像担体２１から高解像度で画像を読み取る場合、画像のサイズによっては数１０分程度かかるため、この間にリニアスケールフィルムが伸縮することが起こり得るが、このような態様とすればより歪みの少ない画像を得ることができる。
【００６０】
また、上記実施の形態のように、複数画像間で画素位置の補正を行う場合においても、各画像読取時に副走査方向Ｙの複数の個所で比較用パルス数を取得し、複数の比較用パルス数に各々対応する領域について、基準パルス数と各比較用パルス数との差分に基づいて画素位置の補正を行うようにすれば、複数枚の画像間で測定対象物の僅かな位置や大きさの比較を行いたい場合の解析精度をより向上させることができる。
【００６１】
上記において画像読取装置は、蛍光画像、化学発光画像、放射線画像等種々の画像読取りが可能なものを例に説明したが、蛍光画像のみ読取り可能な画像読取装置、化学発光画像のみ読取り可能な画像読取装置等個別に構成されたものとすることもできる。
【００６２】
また、上記以外にも、本発明の要旨を逸脱しない範囲において、各種の改良や変形を行なってもよいのは勿論である。
【符号の説明】
【００６３】
１    第１のレーザ励起光源
２    第２のレーザ励起光源
３    第３のレーザ励起光源
５、１０、１１    コリメータレンズ
６、９、１２    ミラー
７    第１のダイクロイックミラー
８    第２のダイクロイックミラー
１３    穴
１４    穴開きミラー
１５    光学ヘッド
１５ａ    エンコーダーモジュール
１５ｂ    位置検出片
１８    凹面ミラー
２０    ステージ
２１    画像担体
２８    フィルタユニット
３０    フォトマルチプライア
３１ａ、３１ｂ、３１ｃ、３１ｄ    フィルタ部材
３３    Ａ／Ｄ変換器
３４    メモリ
３５    画像処理部
３６    ＵＳＢ転送部
４０    光学ヘッド保持基板
４１    レール
４２    リニアスケールフィルム
４３    スプリング
４４ａ、４４ｂ、４４ｃ    位置検出センサー
５０    光源光学系
６０    光学手段
１００    画像検出システム
１１０    画像読取装置
１２０    コンピューター
１２１    モニター
【図１】
2014175997.tif 000003
【図２】
2014175997.tif 000004
【図３】
2014175997.tif 000005
【図４】
2014175997.tif 000006
【図５】
2014175997.tif 000007